(57)【特許請求の範囲】
【請求項１】
ディジタルデータを符号化して記録し、記録された符号化データを再生して元のディジタルデータを復元する記録再生装置において、
符号化前の第１のディジタルデータを、ＮＲＺＩ（Non Return to Zero Inverse）則で最小ランレングスが１、符号化率が２／３である符号化方式を用いて符号化し、第２のディジタルデータを生成する符号化手段と、
該符号化手段により符号化された第２のディジタルデータに対し、前記ＮＲＺＩ則に従ってデータ変換を行い、記録データを生成するデータ変換手段と、
記録された記録データを再生し、再生したデータを、パーシャルレスポンス（１，１，１）方式と最尤復号化方式を用いて復号化することにより第２のディジタルデータを生成し、該第２のディジタルデータに基づいて第１のディジタルデータを復元する復号化手段と、
を備えたことを特徴とする記録再生装置におけるデータ処理装置。
【請求項２】
ディジタルデータを符号化して伝送し、伝送されたデータを復号化して元のディジタルデータに復元するデータ伝送装置において、
符号化前の第１のディジタルデータを、ＮＲＺＩ則で最小ランレングスが１、符号化率が２／３である符号化方式を用いて符号化し、第２のディジタルデータを生成する符号化手段と、
該符号化手段により符号化された第２のディジタルデータに対し、前記ＮＲＺＩ則に従ってデータ変換を行い、伝送データを生成するデータ変換手段と、
伝送された伝送データを、パーシャルレスポンス（１，１，１）方式と最尤復号化方式を用いて復号化することにより第２のディジタルデータを生成し、該第２のディジタルデータに基づいて第１のディジタルデータを復元する復号化手段と、
を備えたことを特徴とするデータ伝送装置におけるデータ処理装置。
【発明の詳細な説明】
【０００１】
【発明の属する技術分野】
本発明は、回路規模を小さくし、誤り率を小さくしつつ、狭帯域の伝送路にできるだけ多くのデータを効率的に伝送することができる記録再生装置におけるデータ処理装置及びデータ伝送装置におけるデータ処理装置に関する。
【０００２】
【従来の技術】
記録再生装置には、光ディスク記録再生装置、光磁気記録再生装置、垂直磁気記録装置等があり、データ伝送装置には、見通しの利かない受信点に対して送信された電波（マイクロ波）を中間地点でいったん受信し、これを増幅して受信点に再送させる中継器であるＦＰＵ（Field Pick up Unit）等がある。
【０００３】
これらの記録再生装置、データ伝送装置では、狭帯域の伝送路にできるだけ多くのデータを伝送することで装置の小型化、低消費電力化や低価格化を図っている。
【０００４】
また、回線上を伝送する際のデータ誤りを低減するため、あるいはデータ転送効率を向上させるために、伝送データを別の符号に変換する符号化が行われ、データの伝送後、元のデータに復元するための復号化が行われる。
【０００５】
ここで、伝送帯域の狭小化について、シンボルレートで信号のサンプリングを行うシンボルレート伝送方式で議論する。
ディジタルデータの伝送を行う通信路では、一般にシャノンの定理により伝送帯域とＳＮ（Signal to Noise）比の交換ができるので、ＳＮ比の劣化の代償として伝送帯域の狭小化を図ることができる。
【０００６】
このことを利用した伝送方式として、パーシャルレスポンス（Partial Response、以後「ＰＲ」と記す。）方式がある。このＰＲ方式とは、ディジタルデータの通信において受信側のサンプル値間の加減算により符号間干渉を生じさせ、多値信号を生成することにより、伝送帯域の狭小化を図る伝送方式である。
【０００７】
その際、多値信号化によりＳＮ比が劣化するため、復号化方式として信号列の中から最も確からしい（最尤）系列を選んで復号化することでＳＮ比の改善を図るＭＬ（Maximum Likelihood）方式を採用することが多い。
【０００８】
次に、符号化とＰＲ方式との伝送路特性関係について説明する。
シンボルレート等化器を用いる場合、符号化とＰＲ特性を作り出す等化器のサンプルレートは等しくなるので、サンプルレートと伝送路特性の設定条件が重要となってくる。すなわち、符号化器では、設定した符号によりサンプルレートに対して符号の帯域が決まり、この符号が伝送路を通過するため、伝送路に対して適切に符号の帯域を設定する必要がある。ついで、受信信号を符号化と同一のクロックでリサンプルして、ＰＲ特性に等化するが、等化器ではサンプルレートが決まっているので、拘束長とその係数を適切に設定して等化特性を決定することとなる。この際、ＰＲ特性を伝送路特性に近く設定すれば、等化量が少なくなり簡易な等化回路で等化を行うことができる。
【０００９】
【発明が解決しようとする課題】
ところで、従来、記録再生装置、あるいはデータ伝送装置において、伝送特性を正確に測定する方法は提案されていなかった。従って、従来は、伝送路特性に基づくＰＲ方式を正確に評価することはできず、各符号化方式、復号化方式を実験的あるいはシミュレーションによって評価し、誤り率の低い記録符号化方式とＰＲ方式の組み合わせが提案されていただけである。
【００１０】
しかし、新たに伝送特性測定法が開発された。この測定方法は、ステップ波形およびランダム波形を用いて、その再生信号から伝送路特性（周波数−振幅特性、周波数−位相特性）を求める方法であり、この測定方法によれば、測定の結果、周波数-振幅特性がsinc関数（sin（x）/x）でほぼ近似でき、周波数−位相特性はフラット（平坦）であるので、位相等化の必要がなくなり、振幅特性のみを等化すればよいことがわかった。
【００１１】
この測定装置により、伝送特性を正確に測定することができ、測定結果に基づいて符号化方式、復号化方式を選択すれば、記録再生装置、データ伝送装置において、優れたＳＮ比特性及び狭帯域特性を実現することが可能となる。
【００１２】
本発明は、このような点に鑑みてなされたもので、新たに開発された伝送特性測定方法に基づいて符号化方式を決定し、この符号化方式に最も適した復号化方式を組み合わせることにより、記録再生装置において、優れたＳＮ比特性及び狭帯域特性を実現することが可能なデータ処理装置を提供することを目的とする。
【００１３】
また、本発明は、新たに開発された伝送特性測定方法に基づいて符号化方式を決定し、この符号化方式に最も適した復号化方式を組み合わせることにより、データ伝送装置において、優れたＳＮ比特性及び狭帯域特性を実現することが可能なデータ処理装置を提供することを目的とする。
【００１４】
【課題を解決するための手段】
このため請求項１の発明にかかる記録再生装置におけるデータ処理装置は、符号化前の第１のディジタルデータを、ＮＲＺＩ則で最小ランレングスが１、符号化率が２／３である符号化方式を用いて符号化し、第２のディジタルデータを生成する符号化手段と、該符号化手段により符号化された第２のディジタルデータに対し、前記ＮＲＺＩ則に従ってデータ変換を行い、記録データを生成するデータ変換手段と、記録された記録データを再生し、再生したデータを、パーシャルレスポンス（１，１，１）方式と最尤復号化方式を用いて復号化することにより第２のディジタルデータを生成し、該第２のディジタルデータに基づいて第１のディジタルデータを復元する復号化手段と、を備えたものである。
【００１５】
かかる構成によれば、符号化前の第１のディジタルデータは、ＮＲＺＩ則で最小ランレングスが１、符号化率が２／３である符号化方式を用いて符号化手段により符号化され、第２のディジタルデータが生成される。
【００１６】
最小ランレングス（ｄ）とは、データ系列における同一ビットの連続個数（ランレングス）の最小値をいい、最大ランレングス（ｋ）とは、その最大値をいう。
このＮＲＺＩ則は、ディジタルデータの「１」を反転の有り、「０」を反転無しに対応させて別のディジタルデータに変換する変換則である。
【００１７】
生成された第２のディジタルデータは、データ変換手段により、このＮＲＺＩ則に従ってデータ変換が行われ、記録データが生成されて、この記録データが記録される。
【００１８】
この記録データの再生後、再生されたデータは、復号化手段により、パーシャルレスポンス（１，１，１）方式と最尤復号化方式を用いて復号化され、第２のディジタルデータが生成される。
【００１９】
このパーシャルレスポンス（１，１，１）方式とは、隣り合う３ビットに対し、それぞれ係数１を与えて相関を持たせ、符号間干渉を与える４値伝送方式をいう。
そして、この第２のディジタルデータに基づいて第１のディジタルデータが復元される。
復元は、第２のディジタルデータを前記ＮＲＺＩ則とは逆操作を行って第１のディジタルデータにすることにより行われる。
【００２０】
請求項２の発明にかかるデータ伝送装置におけるデータ処理装置では、符号化前の第１のディジタルデータを、ＮＲＺＩ則で最小ランレングスが１、符号化率が２／３である符号化方式を用いて符号化し、第２のディジタルデータを生成する符号化手段と、該符号化手段により符号化された第２のディジタルデータに対し、前記ＮＲＺＩ則に従ってデータ変換を行い、伝送データを生成するデータ変換手段と、伝送された伝送データを、パーシャルレスポンス（１，１，１）方式と最尤復号化方式を用いて復号化することにより第２のディジタルデータを生成し、該第２のディジタルデータに基づいて第１のディジタルデータを復元する復号化手段と、を備えたものである。
【００２１】
かかる構成によれば、符号化前の第１のディジタルデータは、ＮＲＺＩ則で最小ランレングスが１、符号化率が２／３である符号化方式を用いて符号化手段により符号化され、第２のディジタルデータが生成され、生成された第２のディジタルデータについては、データ変換手段により、このＮＲＺＩ則に従ってデータ変換が行われ、伝送データが生成されて、この伝送データが伝送される。
【００２２】
伝送後、この伝送データは、復号化手段により、パーシャルレスポンス（１，１，１）方式と最尤復号化方式を用いて復号化され、第２のディジタルデータが生成される。そして、この第２のディジタルデータに基づいて第１のディジタルデータが復元される。
【００２３】
復元は、第２のディジタルデータを前記ＮＲＺＩ則とは逆操作を行って第１のディジタルデータにすることにより行われる。
【００２４】
【発明の実施の形態】
以下、本発明の実施の形態を図面に基づいて説明する。
まず、第１の実施の形態について説明する。
第１の実施の形態は、新たに開発された伝送特性測定方法に基づいて、ＮＲＺＩ則で最小ランレングスが１、符号化率が２／３の符号化方式として（１，７）ＲＬＬ符号を決定し、この符号化方式とＰＲ（１，１，１）ＭＬ復号化方式とを組み合わせてデータ変換を行い、データの記録、再生を行うようにしたものである。
【００２５】
尚、（１，７）ＲＬＬ符号とは、ＮＲＺＩ則で最小ランレングスが１、符号化率が２／３の符号化方式の代表例であり、符号化後の符号語列 において、“１”と“１”の間には必ず１個以上７個以下の“０”が入るようなラン制限の規則（ＲＬＬ）を有しているものであり、ＮＲＺＩ化された後の記録符号列では、連続する“０”または“１”は、最小で２個、最大で８個となる。
【００２６】
符号化率とは、データビットをチャンネルビットに変換するときの変換率をいい、例えば、符号化率２／３とは、データビット２ビットがチャンネルビット３ビットに変換される率をいう。
【００２７】
また、ＰＲ（１，１，１）ＭＬ復号化方式とは、ＰＲ（１，１，１）方式とＭＬ（最尤）復号化方式とを組み合わせたディジタル信号の等化及び復号化方式であり、ＰＲ（１，１，１）方式とは、隣り合う３ビットに対し、それぞれ係数１を与えて相関を持たせ、符号間干渉を与える４値伝送方式をいう。
【００２８】
図１は、第１の実施の形態として、光ディスク記録再生装置及びそのデータ処理装置の構成を示すブロック図である。
光ディスク記録再生装置１は、光ディスク（図示せず）に光ヘッド（図示せず）等を用いてデータを記録再生するものであり、データ処理装置は、符号前の第１のディジタルデータをＮＲＺＩ則で最小ランレングスが１、符号化率が２／３の符号化方式として（１，７）ＲＬＬ符号に変換し、第２のディジタルデータを生成する符号化器２と、第２のディジタルデータをＮＲＺＩ化して記録符号列データに変換して光ディスク記録再生装置にこのデータを出力するＮＲＺＩ器３と、光ディスク記録再生装置によって再生されたデータをＰＲ等化するＰＲ等化器４と、（１，７）ＲＬＬ符号の規則性を考慮して最尤復号化を実行し、第２のディジタルデータを生成し、第２のディジタルデータに基づいて第１のディジタルデータを復元するためのビタビ復号化器５と、を備えて構成されている。
尚、符号化器２が符号化手段に、ＮＲＺＩ器３がデータ変換手段に、ＰＲ等化器４とビタビ復号化器５が復号化手段に相当する。
【００２９】
前記したように符号化器２に用いる符号化方式としては、（１，７）ＲＬＬ符号を用いることにしたが、その理由について説明する。
新たに開発された光ディスクの伝送特性測定法は、前記したようにステップ波形およびランダム波形を用いて、その再生信号から伝送路特性（周波数−振幅特性、周波数−位相特性）を求める方法であり、この測定方法によれば、測定の結果、周波数-振幅特性をsinc関数（sin（x）/x）でほぼ近似でき、周波数−位相特性はフラット（平坦）であるので、位相等化の必要がなくなり、振幅特性のみを等化すればよいことがわかる。
【００３０】
表１は、ベースバンド伝送に用いられる符号化方式と測定結果を示す表である。
尚、ベースバンド伝送とは、データ信号波形の周波数スペクトルを高域に移動させることなく伝送する伝送方式である。
【表１】
0004033373.tif 000002
ここで、１６／１７符号とは、１６ビットの情報符号列を１７ビットの変調符号列に変換して符号化率を１６／１７とした符号化方式である。この１６／１７符号は、現在ＨＤＤ（Hard Disk Drive）に採用されているＮＲＺ（ｄ＝０）系列の最新符号化方式である。
【００３１】
また、ＥＦＭ＋符号とは、８ビットの情報符号列を１６ビットの変調符号列に変換する符号方式であり、ＤＶＤ（Digital Versatile Disc）に採用されている（２，７）系符号（ｄ＝２）である。
【００３２】
この表１に示すように、ベースバンド伝送に用いられる符号化方式としては、主にＮＲＺＩ則で最小ランレングスｄ＝０のＮＲＺ系符号、ｄ＝１の（１，７）系符号、ｄ＝２の（２，７）系符号がある。
このＮＲＺＩ則は、ディジタルデータの「１」を反転の有り、「０」を反転無しに対応させて別のディジタルデータにデータを変換する変換則である。
【００３３】
ＮＲＺ系符号は符号化率が良く、（２，７）系符号は高密度化指数が高い。
（１，７）系符号は両者の中間の性質を持っている。
この（１，７）系符号は、ＮＲＺＩ則で最小ランレングスが１、符号化率が２／３の符号化方式の代表例である。
【００３４】
表２は符号化方式の満たすべき条件を示す。
【表２】
0004033373.tif 000003
なお、この表２において、最大反転間隔（Ｔmax/Ｔb）と最小反転間隔（Ｔmin/Ｔb）は、それぞれ、以下のような関係式で表される。
Ｔmax＝ｍ／ｎ・（ｋ＋１）Ｔb
Ｔmin＝ｍ／ｎ・（ｄ＋１）Ｔb
最大反転間隔は、小さいほど再生信号中の位相情報が増えるためにクロック抽出が容易になり、その精度も増すので、表２にも記載した通り、小さいことが望ましく、最小反転間隔は、小さくなると再生信号のＳＮ比が低下し、符号間干渉が増加し、誤り率が増加するので、大きいことが望ましい。
【００３５】
ウィンドウ比とは、符号検出時の位相マージンを表す比であり、この比は広いほどよいことになる。
高密度指数とは、高密度記録に対する指標であり、大きいことが望ましい。
【００３６】
この表２に示すように、それぞれの系統の符号化方式でこの条件をほぼ満たす符号として、ＮＲＺ系符号では１６／１７符号、（１，７）系符号では（１，７）ＲＬＬ符号、（２，７）系符号ではＥＦＭ＋符号である。
【００３７】
これらの符号化方式を選び、次に高転送レートの伝送という条件で比べてみる。
表３は、表２の条件に基づいて各符号化方式の順位付けをした表である。
【表３】
0004033373.tif 000004
この表３に示すように、１６／１７符号では、符号化率（ｍ／ｎ）とウィンドウ比（Ｔw／Ｔb）の特性が最も優れ、（１，７）ＲＬＬ符号では、最大反転間隔（Ｔmax／Ｔb）と最小反転間隔（Ｔmin／Ｔb）の特性が最も優れ、ＥＦＭ＋符号では、反転間隔比の最大値（Ｔmax／Ｔb）と高密度化指数（Ｔw・Ｔmin／Ｔb2）の特性が最も優れている。
【００３８】
第１位になった数はそれぞれの符号化方式で差はないが、（１，７）ＲＬＬ符号は２位の数が最も多く、３位がなくバランスの取れた符号化方式であることがわかる。
【００３９】
また、符号化方式を狭帯域・高転送レート伝送の観点から評価すると、１６／１７符号は符号化率は良いが、符号化後のデータレートが入力レート以上になるので、狭帯域・高転送レート伝送には適さない。
【００４０】
ＥＦＭ＋符号は符号化後のデータレートが入力レートのほぼ０．５倍になり、狭帯域伝送に有利であるが、ウィンドウ比がＮＲＺ符号の０．５倍となり、検出点でのＳＮ比が６ｄＢ低下したことと同等であり、高転送レートの伝送には不利になる。
【００４１】
（１，７）ＲＬＬ符号は両者の中間の性質を有しており、符号化後のデータレートが入力レートの０．６７倍であり、ウィンドウ比がＮＲＺ符号の０．６７倍（ＳＮ比換算で３．５ｄＢの低下）であり、必要帯域が０．６７倍となり、ＳＮ比低下も３ｄＢ程度であって、回路技術でカバーできる範囲であり、狭帯域・高転送レートの伝送に有利となる。
【００４２】
よって、ＮＲＺＩ則で最小ランレングスが１、符号化率が２／３の符号化方式である（１，７）ＲＬＬ符号が狭帯域・高転送レートの伝送に適していると考えられる。
【００４３】
次にこの符号化方式に適した復号化方式について検討する。
復号化方式には、ＰＲＭＬ（Partia1 Response Maximum Likelihood）方式とbit/bit復号方式がある。
【００４４】
尚、ＰＲＭＬ方式とは、符号間干渉を積極的に利用して狭帯域伝送を可能とする等化・検出方式であるＰＲ方式と符号の規則性を利用して誤り率の改善を図る最尤復号（ＭＬ）方式を組み合わせた信号処理方式であり、bit/bit復号方式とは、符号を復号する際、注目する信号の前後の符号相関を利用せずにその信号の振幅だけに注目して復号化する復号方式である。
【００４５】
狭帯域伝送では、隣接符号の相関を用いて所要帯域を減少できるＰＲＭＬ方式が適している。
よって、ここでは、（１，７）ＲＬＬ符号にもっとも適した復号化方式として、ＰＲＭＬ方式を選択する。
【００４６】
光ディスク記録再生装置において、（１，７）ＲＬＬ符号化方式と組み合わせるＰＲＭＬ（Partia1 Response Maximum Likelihood）方式としては、すでにＰＲ（１，１，１，１）方式、ＰＲ（１，２，２，１）方式やＰＲ（１，３，３，１）方式が提案されているが、ここでは、ＰＲ（１，１，１）方式を選定する。
【００４７】
尚、ＰＲ（１，２，２，１）方式とは、隣り合う４ビットに対し、それぞれ係数１，２，２，１を与えて相関を持たせ、符号間干渉を与える７値伝送方式をいい、ＰＲ（１，３，３，１）方式とは、隣り合う４ビットに対し、それぞれ係数１，３，３，１を与えて相関を持たせ、符号間干渉を与える７値伝送方式をいう。
【００４８】
以下、このＰＲ（１，１，１）方式の選定理由について説明する。
図１に示す光ディスク伝送系の伝達関数では、周波数特性がsinc関数で表され、位相特性がほぼフラットであるので、ＰＲ方式としては特性的にＰＲ（１N）方式（ポリバイナリ符号）が適している。
【００４９】
図２は、入力データと（１，７）ＲＬＬ符号の関係を信号スペクトルで示す説明図である。
（１，７）ＲＬＬ符号では、符号クロックがデータクロックの１．５倍となり、符号の最高周波数が符号クロックの０．５倍となる。（１，７）ＲＬＬ符号の信号帯域は符号クロックの０．５倍である。
【００５０】
図３は、ＰＲ（１N）方式の周波数スペクトルを示す説明図である。
尚、ＰＲ（１N）方式とは、ＰＲ（１，・・・，１）方式の総称をいい、ポリバイナリ符号と呼ばれている方式である。
ここで、Ｎ＝２とすれば、ＰＲ（１，１）方式となり、Partial Response Class Ｉであるデュオバイナリ符号となる。また、Ｎ＝３とすれば、ＰＲ（１，１，１）方式となる。
【００５１】
この図３に示すように、上記条件を満たすＰＲ（１N）方式としては、Ｎ＝４までを考慮すればよいこととなる。
表４は、次数Ｎ＝２〜４のＰＲ（１N）方式に関して、符号間相互の積の関係を示す表である。
【表４】
0004033373.tif 000005
ＰＲ（１N）方式については、表４に表されている方式の中から、ＰＲ等化回路４の構成が簡単化され、誤り率特性の良くなるような方式が選択される。
【００５２】
光ディスクの伝送系では、伝送帯域は符号の最高周波数の１．２〜１．５倍程度に設定される。図３からＰＲ（１，１，１，１）系かＰＲ（１，１）系が等化量の少なくなる方式であることが分かる。
【００５３】
表５は、表４に示すＰＲＭＬ方式に関して、高域強調度、等化特性の単調性と１１タップのイコライザ（等化器）を用いたときの誤り率を示す表である。
【表５】
0004033373.tif 000006
ＰＲ（１，１，１，１）系のＰＲＭＬ方式では、再生信号の周波数特性とＰＲ方式の周波数特性が近いため、等化特性上、帯域内に変極点があり、複雑な等化特性になっている。
【００５４】
誤り率については、ＰＲ（１，１）方式以外は大差ない。よって、イコライザを簡単にする観点で比較すると、等化特性が単調なＰＲ（１，１）系とＰＲ（１，１，１）系のＰＲＭＬ方式が良いこととなる。
【００５５】
ＰＲ（１，１）方式において、誤り率が高いのは、高域強調度が大きすぎて精度の良い等化を行うことが出来ないためと考えられる。また、精度良く等化するという点を考慮すると、高域強調度の少ない方式であるＰＲ（１，１，１）系が良いことになる。
【００５６】
図４は、７タップのＰＲ等化器４を用いて等化した場合のＰＲ（１，１）系とＰＲ（１，１，１）系の誤り率を示す説明図である。
ここでＰＲ（１，１）は等化量が大きいので除外する。
【００５７】
この図４に示すように、ＰＲ（１，１）方式が最も誤り率が低い。このＰＲ（１，１）方式では、高域強調度が最も少ない。ＰＲ（１，１，１）方式ではイコライザーのタップ数を５タップまで減少させても誤り率に大きな変化はない。
【００５８】
次に、回路規模について検討する。
ＰＲＭＬ方式において、回路規模が大きい回路は、ＰＲ等化器４とビタビ復号化器５である。ＰＲ等化器４では、イコライザーのタップ数が少なければよく、ビタビ復号化器５では、ビタビ復号化器５に内蔵されている符号器の遅延素子数がほぼ拘束長に比例する。したがって、ビタビ復号化器５に内蔵されている符号器の複雑さは拘束長とともに指数関数的に増加する。
【００５９】
ここでの拘束長はＰＲ方式の次数Ｎである。ビタビ復号化器５の回路規模を小さくするには、ＰＲ方式の次数Ｎを考える。すなわち、ビタビ復号化器５の回路規模については、ＰＲ（１，１）方式が最も小さく、次にＰＲ（１，１，１）方式、ＰＲ（１，２，１）方式の順に大きくなる。
【００６０】
よって、回路規模や誤り率特性などから総合的に判断すると、（１，７）ＲＬＬ符号と組み合わせるＰＲＭＬ方式としては、回路規模が小さく高速で復号化が可能なＰＲ（１，１，１）ＭＬが最も有利となる。
従って、ＰＲ等化器４とビタビ復号化器５には、ＰＲ（１，１，１）方式とＭＬ方式を用いて復号化するＰＲ（１，１，１）ＭＬ復号化方式を用いることにする。
【００６１】
次に動作を説明する。
符号前の第１のディジタルデータは、符号化器２において、ＮＲＺＩ則での（１，７）ＲＬＬ符号に変換され、第２のディジタルデータが生成される。この第２のディジタルデータは、ＮＲＺＩ器３によってＮＲＺＩ化されて記録符号列データに変換される。変換された記録符号列データは、光ディスク記録再生装置１によって光ディスクに記録される。
【００６２】
再生時、光ディスクに記録されているデータは、光ディスク記録再生装置１によって再生され、この再生データは、ＰＲ等化器４によりＰＲ等化される。そして、ビタビ復号化器５により、最尤復号化が実行され、第２のディジタルデータが生成される。
【００６３】
ここで、生成された第２のディジタルデータから、ＮＲＺＩ則とは逆操作を行って第１のディジタルデータを復元することができる。
尚、後者の場合、ビタビ復号化器５にＮＲＺ（Non Return to Zero）器を備えるようにする。
【００６４】
かかる構成によれば、新たに開発された伝送特性測定方法に基づいて、ＮＲＺＩ則で最小ランレングスが１、符号化率が２／３の符号化方式として（１，７）ＲＬＬ符号を決定し、この方式とＰＲ（１，１，１）ＭＬ方式を組み合わせて符号化、復号化するようにしたので、優れたＳＮ比特性と狭帯域特性を実現でき、さらに比較的簡易なＰＲ等化器４で等化を実現できる。従って、回路の高速化が可能となり、光ディスクへの高速記録、高速伝送が可能となる。
【００６５】
尚、本実施の形態では、記録再生装置として、光ディスク記録再生装置について説明したが、記録再生装置はこれに限られるものではなく、本実施の形態を光磁気記録再生装置、垂直磁気記録装置等にも適用できる。
【００６６】
また、符号化方式として、（１，７）ＲＬＬ符号を用いたが、これに限られるものではなく、ＮＲＺＩ則で最小ランレングスが１、符号化率が２／３の符号化方式であれば、どのような符号化方式を用いてもよい。
【００６７】
次に、第２の実施の形態について説明する。
第２の実施の形態は、ＦＰＵ等のデータ伝送装置に、第１の実施の形態で用いた符号化方式、復号化方式を適用したものである。
【００６８】
図５は、第２の実施の形態として、データ伝送装置及びそのデータ処理装置の構成を示すブロック図である。
第２の実施の形態において、データ伝送装置１１は、ＮＲＺＩ器によってＮＲＺＩ化された記号符号列を伝送するものである。
尚、図１の構成と同一要素については、同一符号を付して説明を省略する。
【００６９】
次に動作を説明する。
符号前の第１のディジタルデータは、符号化器２において、（１，７）ＲＬＬ符号に変換され、第２のディジタルデータが生成される。この第２のディジタルデータは、ＮＲＺＩ器３によってＮＲＺＩ化されて記録符号列に変換される。変換された記録符号列は、データ伝送装置によってデータ伝送される。
伝送されたデータは、ＰＲ等化器４によりＰＲ等化され、ビタビ復号化器５により、最尤復号化が実行され、第２のディジタルデータが生成される。
【００７０】
第１の実施の形態と同様に、ビタビ復号化器５にＮＲＺ器を備え、生成された第２のディジタルデータから、ＮＲＺＩ則とは逆操作を行って第１のディジタルデータを復元することもできる。
【００７１】
かかる構成によれば、（１，７）ＲＬＬ符号とＰＲ（１，１，１）ＭＬ方式を組み合わせて符号化、復号化するようにしたので、データ伝送装置においても優れたＳＮ比特性と狭帯域特性を実現でき、さらに比較的簡易なＰＲ等化器４で等化を実現できる。従って、回路の高速化が可能となり、高速伝送が可能となる。
【００７２】
【発明の効果】
以上説明したように、請求項１の発明にかかる記録再生装置におけるデータ処理装置によれば、ＮＲＺＩ則で最小ランレングスが１、符号化率が２／３である符号化方式を用いて符号化し、記録再生後、パーシャルレスポンス（１，１，１）方式と最尤復号化方式を用いて復号化するようにしたので、記録再生装置において、優れたＳＮ比特性と狭帯域特性を実現でき、さらに比較的簡易な等化器で等化を実現できる。従って、回路の高速化が可能となり、光ディスク等の記録媒体への高速記録、高速伝送が可能となる。
【００７３】
請求項２の発明にかかるデータ伝送装置におけるデータ処理装置によれば、ＮＲＺＩ則で最小ランレングスが１、符号化率が２／３である符号化方式を用いて符号化し、データ伝送後、パーシャルレスポンス（１，１，１）方式と最尤復号化方式を用いて復号化するようにしたので、データ伝送装置において、優れたＳＮ比特性と狭帯域特性を実現でき、さらに比較的簡易な等化器で等化を実現できる。従って、回路の高速化が可能となり、高速伝送が可能となる。
【図面の簡単な説明】
【図１】本発明の第１の実施の形態における光ディスク記録再生装置の構成を示すブロック図である。
【図２】第１の実施の形態における入力データと（１，７）ＲＬＬ符号の関係を信号スペクトルで示す説明図である。
【図３】第１の実施の形態におけるＰＲ（１N）方式の周波数スペクトルを示す説明図である。
【図４】第１の実施の形態における７タップの等化器を用いて等化した場合のＰＲ（１，１）系とＰＲ（１，１，１）系の誤り率を示す説明図である。
【図５】第２の実施の形態におけるデータ伝送装置の構成を示すブロック図である。
【符号の説明】
１  光ディスク記録再生装置
２  符号化器
３  ＮＲＺＩ器
４  ＰＲ等化器
５  ビタビ復号化器
１１  データ伝送装置
【図１】
0004033373.tif 000007
【図２】
0004033373.tif 000008
【図３】
0004033373.tif 000009
【図４】
0004033373.tif 000010
【図５】
0004033373.tif 000011